(57)【特許請求の範囲】
【請求項１】
板紙からなる１枚のブランクを組み立てて形成される直方体形状をした横置タイプの紙カートンであって、上面パネルに重なる蓋パネルが背面パネルの上端縁に連接され、その蓋パネルの前端縁には前面パネルの上部に重なる操作パネルが連接されており、前面パネルの一部とこれに繋がる上面パネルの一部が開閉領域として破断線で区画され、上面パネルにおける開閉領域が前面パネル寄り以外の部分で蓋パネルに接着されると共に、前面パネルにおける開閉領域が上面パネル寄り以外の部分で操作パネルに接着されており、操作パネルに設けられた摘み部分を引っ張ることによって前面パネル及び上面パネルが破断線に沿って破られ、開閉領域が蓋パネル及び操作パネルと共に開けられるようになっており、さらに、上面パネルにおける開閉領域と背面パネルの上端縁との間にて蓋パネルに固定領域を区画する折曲線が形成されており、蓋パネルの折曲線の中程には固定領域に掛かる切込線により爪部分が設けられていると共に、固定領域が上面パネルに接着されていることを特徴とする紙カートン。
【請求項２】
開閉領域が開けられた後に形成される上面パネルと前面パネルの間の折曲げ端部と、開閉領域の折曲げ端部とが互いに引っ掛かり合うロック機構を構成してなる請求項１に記載の紙カートン。
【発明の詳細な説明】
【０００１】
【発明の属する技術分野】
本発明は、キッチンペーパー等の枚葉紙を折り畳んだ状態で複数枚収納し、一枚ずつ取り出して使用するための紙カートンに関する。
【０００２】
【従来の技術】
一般に、台所などで使用するキッチンペーパーとしては、ロール状のものと枚葉状のものとがある。このうち、ロール状のものは、両端を吊り下げた状態にしておき、引っ張りながらミシン目で切り取って使用する。一方、枚葉状のものは、折り畳んだ状態で紙カートンの中に収納しておき、一枚ずつ引っ張り出して使用する。この枚葉状のキッチンペーパーを収納する紙カートンとしては、ティッシュペーパー用の紙カートンと同様の前開きタイプのものが使用されている。
【０００３】
【発明が解決しようとする課題】
ところで、キッチンペーパーは料理中に使用されることが多いため、紙カートンに収納したタイプでは、その中から取り出しやすいことが望まれる。また、不使用時には衛生上の観点からして確りと蓋がされることが好ましい。しかしながら、従来の前開きタイプの紙カートンは、前面から上面にかけてミシン目で区画された蓋の部分を開封して持ち上げ、その蓋の部分を押さえながら中のキッチンペーパーを一枚ずつ取り出すようになっているので、取り出し操作が面倒であった。また、一旦開封した蓋の部分は、折癖が付いてしまうために確りと閉じることができず、衛生上の観点から好ましくなかった。
【０００４】
本発明は、上記のような問題点に鑑みてなされたものであり、その目的とするところは、収納したキッチンペーパーが取り出しやすく、しかも不使用時には確りと蓋ができて衛生的である紙カートンを提供することにある。
【０００５】
【課題を解決するための手段】
上記目的を達成するために、本発明の紙カートンは、板紙からなる１枚のブランクを組み立てて形成される直方体形状をした横置タイプの紙カートンであって、上面パネルに重なる蓋パネルが背面パネルの上端縁に連接され、その蓋パネルの前端縁には前面パネルの上部に重なる操作パネルが連接されており、前面パネルの一部とこれに繋がる上面パネルの一部が開閉領域として破断線で区画され、上面パネルにおける開閉領域が前面パネル寄り以外の部分で蓋パネルに接着されると共に、前面パネルにおける開閉領域が上面パネル寄り以外の部分で操作パネルに接着されており、操作パネルに設けられた摘み部分を引っ張ることによって前面パネル及び上面パネルが破断線に沿って破られ、開閉領域が蓋パネル及び操作パネルと共に開けられるようになっており、さらに、上面パネルにおける開閉領域と背面パネルの上端縁との間にて蓋パネルに固定領域を区画する折曲線が形成されており、蓋パネルの折曲線の中程には固定領域に掛かる切込線により爪部分が設けられていると共に、固定領域が上面パネルに接着されていることを特徴としている。
【０００６】
そして、開閉領域が開けられた後に形成される上面パネルと前面パネルの間の折曲げ端部と、開閉領域の折曲げ端部とが、互いに引っ掛かり合うロック機構を構成するのが好ましい。
【０００７】
【発明の実施の形態】
以下、図面を参照しながら本発明の実施形態について説明する。
【０００８】
図１は本発明の一実施例としての紙カートンを示す斜視図、図２は開閉領域を開けた状態で示す斜視図であり、図１の紙カートン１は図３に示す展開形状に打ち抜かれた板紙製のブランク２を組み立てて作成されている。
【０００９】
図３に示されるようにブランク２は、横方向の罫線ａ，ｂ，ｃ，ｄ，ｅを介して上面パネル３、前面パネル４、底面パネル５、背面パネル６、蓋パネル７及び操作パネル８が連設され、上面パネル３の左右に外側面パネル９，１０がそれぞれ連設され、前面パネル４の左右に折曲げパネル１１，１２がそれぞれ連設され、底面パネル５の左右に内側面パネル１３，１４がそれぞれ連設され、背面パネル６の左右に折曲げパネル１５，１６がそれぞれ連設された形状をしている。また、操作パネル８の先端には罫線ｆを介して摘み部分１７が設けられている。
【００１０】
上面パネル３と前面パネル４にはこれらに跨がって開閉領域Ａが設けられている。すなわち、前面パネル４の一部とこれに繋がる上面パネル３の一部が開閉領域Ａとして破断線αで区画されている。ここで、破断線αは途中にツナギを残した切込線で形成している。また、蓋パネル７には背面パネル６寄りに固定領域Ｆを区画する折曲線ｇが形成されており、この折曲線ｇの中程には固定領域Ｆに掛かる切込線βにより爪部分１８が設けられている。折曲線ｇは蓋パネル７の開閉時にヒンジとなるところであり、したがって途中に切込のあるリード罫で形成するのが好ましい。
【００１１】
上記のブランク２を組み立てるには、まず図４及び図５に示す如くブランク２をサック貼りする。具体的には、罫線ａのところで上面パネル３を前面パネル４に対して折り曲げ、上面パネル３における開閉領域Ａの前面パネル寄り以外の部分と蓋パネル７の固定領域Ｆに対応する部分に糊Ｇを塗布してから、罫線ｃのところで背面パネル６から先を底面パネル５に対して折り曲げることで、蓋パネル７を上面パネル３に重ねて貼り合わせる。次いで、前面パネル４における開閉領域Ａの上面パネル寄り以外の部分に糊Ｇを塗布してから、罫線ｅのところで操作パネル８を折り曲げて、操作パネル８を前面パネル４に重ねて貼り合わせる。
【００１２】
そして、このサック貼りしたブランク２を罫線ａ〜ｅで角筒状に起こした後、折曲げパネル１１，１５を内側に折り曲げてから、内側面パネル１３、外側面パネル９の順にそれぞれ内側に折り曲げて互いに接着することにより一方の側面を閉鎖する。この状態で他方の側面開口から内容物を充填する。例えば、操作ハンドにより所定枚数のキッチンペーパーを挟持して開口から挿入した後、挟持状態をゆるめて操作ハンドを引き抜くようにする。このように内容物を収納した後、折曲げパネル１２，１６を内側に折り曲げてから、内側面パネル１４、外側面パネル１０の順にそれぞれ内側に折り曲げて互いに接着することにより他方の側面を閉鎖する。これにより図１に示す直方体形状をした横置きタイプの紙カートン１が作成される。
【００１３】
図１の紙カートン１を開封するには、操作パネル８に設けられた摘み部分１７を引っ張り上げるようにする。これにより、前面パネル４及び上面パネル３が破断線αに沿って破られ、図２に示す如く開閉領域Ａの付いた蓋パネル７及び操作パネル８が折曲線ｇをヒンジとして開けられる。このように開閉領域Ａと共に蓋パネル７及び操作パネル８を開封すると、蓋パネル７の爪部分１８が上面パネル３の表面を擦りながら手前側に突き出た状態になり、図２に示すように蓋パネル７は上面パネル３に対して起立した状態になる。したがって、紙カートン１が開いた状態を維持したままで中のキッチンペーパーを取り出すことができる。そして、不使用時には蓋パネル７を前に倒すように押すことにより、爪部分１８が上面パネル３の表面を擦りながら後側に戻るので、そのまま蓋パネル７を押して開閉領域Ａを元に戻すことで蓋をすることができる。
【００１４】
また、図示の紙カートンでは、上面パネル３と前面パネル４とに渡って区画する開閉領域Ａの形状を工夫して簡便なロック機構を構成している。すなわち、上面パネル３と前面パネル４の境界である罫線ａのところで破断線αを内側に少し円弧状に膨らんだ形状にする。このような形状にしておくことで、開閉領域Ａが開けられた後に形成される上面パネル３と前面パネル４の間の折曲げ端部Ｘは少し尖った形状になる。一方、開閉領域Ａの折曲げ端部Ｙは少し窪んだ形状になると共に、開閉領域Ａの折曲げ部分よりも蓋パネル７と操作パネル８の折曲げ部分の方がサック貼り時の折曲げ代の分だけ余裕があるので、開閉領域Ａの折曲げ端部Ｙは少し浮いた状態になる。したがって、蓋パネル７及び操作パネル８の開閉時において、上面パネル３と前面パネル４の折曲げ端部Ｘと、開閉領域Ａの折曲げ端部Ｙとは微妙に引っ掛かり合って係止する。
【００１５】
【発明の効果】
以上説明したように、本発明の紙カートンは、前面パネルと上面パネルとに渡って設けた開閉領域を操作パネル及び蓋パネルと共に開けると、蓋パネルが上面パネルに対して起立した状態になるので、蓋が開いた状態のままで中のキッチンペーパーを取り出せることから、忙しい作業中にも片手だけで簡単に取り出すことができる。
【００１６】
また、開閉領域が開けられた後に形成される上面パネルと前面パネルの間の折曲げ端部と開閉領域の折曲げ端部とが互いに引っ掛かり合うようにすることにより、簡便なロック機構が得られるので、不使用時において確りと蓋ができて衛生的である。
【図面の簡単な説明】
【図１】本発明の一実施例としての紙カートンを示す斜視図である。
【図２】図１の紙カートンを開けた状態で示す斜視図である。
【図３】図１に示す紙カートンを形成するブランクの展開図である。
【図４】図３に示すブランクをサック貼りした状態で示す一方からの平面図である。
【図５】図３に示すブランクをサック貼りした状態で示す他方からの平面図である。
【符号の説明】
１  紙カートン
２  ブランク
３  上面パネル
４  前面パネル
５  底面パネル
６  背面パネル
７  蓋パネル
８  操作パネル
９，１０  外側面パネル
１１，１２  折曲げパネル
１３，１４  内側面パネル
１５，１６  折曲げパネル
１７  摘み部分
１８  爪部分
Ａ  開閉領域
Ｆ  固定領域
Ｇ  糊
ａ，ｂ，ｃ，ｄ，ｅ，ｆ  罫線
ｇ  折曲線
α  破断線
β  切込線
【図１】
0004129893.tif 000002
【図２】
0004129893.tif 000003
【図３】
0004129893.tif 000004
【図４】
0004129893.tif 000005
【図５】
0004129893.tif 000006